(57)【要約】      （修正有）【課題】植物、置物観賞用の植物や置物とほぼ同じ高さからの、水平または水平に近い角度の周囲からの照明装置を安価に提供する。【解決手段】光源２を光の照射位置ではなく下部のおきやすいところに配置して、上部へ導光して、端面で全反射させることにより鑑賞物に光をあてる。端面３の面を工夫したり、光が入る部分を工夫する。光が入る部分は凸面にしてなるべく光が導光される部分に平行光線で入るようにする。光が出る部分も曲面にして、拡散、集中をさせることにより、美しく鑑賞物を演出する。【選択図】図１
2018081865.tif 000002
【特許請求の範囲】
【請求項１】
全部または一部が、透明な物質からなり、かつ表面が鏡面仕上げで、かつ端面を有する立体において、前記透明な物質の中に光を照射する前記端面以外の位置にある光源を有し、
前記光が前記透明な物質内で全反射し前記端面へ導光される経路を有し、
前期端面は前記導光された光が臨界角以上で当たり、
全反射した光が前記開口部の前記端面以外の面に臨界角以下で当たる形状を有する
ことを特徴とする照明装置
【請求項２】
全部または一部が、透明な物質からなり、かつ表面が鏡面仕上げで、かつ端面を有する立体において、前記透明な物質の中に光を照射する前記端面以外の位置にある光源を有し、
前記光が前記透明な物質内で全反射し前記端面へ導光される経路を有し、
前期端面に鏡を配置している
ことを特徴とする照明装置
【請求項３】
前記立体は板状の立体で、最大面積の面に一部又は全部が平行な２辺を有し、前記２辺を含まない前記端面に前記光が全反射して導光される経路を有し、前記光が前記端面に臨界角以上で当たり、全反射した前記光が臨界角以下で最大面積の面に当たる前記端面を有することを特徴とする請求項１または請求項２の照明装置。
【請求項４】
前記立体は開口部を有する中が空洞の立体又は、前記立体の開口部を上にして縦に切断した立体であることを特徴とする請求項１または請求項２の照明装置。
【請求項５】
前記中空の立体の壁の厚みが一定の円柱、又は角柱であることを特徴とする請求項４の照明装置。
【請求項６】
全部または一部が、透明な物質からなり、かつ表面が鏡面仕上げの立体において、
前記物質の外部に光源を有し、
前記光源から前記透明な物質の中に光を照射する凸面に形成されている前期立体の端面を有し、
光を前記物質の外に照射する部分を有し、
光が前記透明な物質内で全反射し前記立体の前期凸面の端面から前記照射する部分に導光される経路を有する
ことを特徴とする照明装置。
【請求項７】
前記透明な物質の表面を半透明又は不透明な物資で覆われることを特徴とする請求項１又は請求項２又は請求項３又は請求項４又は請求項５又は請求項６の照明装置。
【請求項８】
鏡面仕上げの透明な物質からなる端面を有する立体の前記物質の内部に前記端面以外の外部から光を照射する工程と
前記照射された光を前記端面へ前記物質内部で導光する工程と
前記導光された光を前記端面で、臨界角以上であたる工程と
全反射した前記光が端面以外の面に臨界角以下であたり前記物質の外に照射される工程を
有する照明の方法
【発明の詳細な説明】
【技術分野】
【０００１】
本発明は、植物、また置物を観賞するための照明装置に関するものである。
【背景技術】
【０００２】
一部の植物、置物では植物、置物を周囲から照らすことにより、観賞する効果が高まるものがある。
【０００３】
しかし、植物、置物などの対象物を周囲から照らすためには光源を円形や多角形状に配置する必要があり、構造が複雑になりコストが高くなる。ののをある。。
うに
【０００４】
観賞効果が高まっても、一般の用途において、この欠点は重要である。植物や置物が主体の観賞用であるので、できるだけコストを掛けないで実現することが望ましい。
【先行技術文献】
【特許文献】
【０００５】
【特許文献１】特開2006-115803号公報
【特許文献２】特開2005-302678号公報
【発明の概要】
【発明が解決しようとする課題】
【０００６】
コストを掛けないで植物、置物を、上からではなく横、又は斜め上下など周囲から照明する装置を提供するものである。
【課題を解決するための手段】
【０００７】
本発明は、上記課題を解決するために、以下に記載の手段よりなる。すなわち、
（１）全部または一部が、透明な物質からなり、かつ表面が鏡面仕上げで、かつ端面を有する立体において、前記透明な物質の中に光を照射する前記端面以外の位置にある光源を有し、
前記光が前記透明な物質内で全反射し前記端面へ導光される経路を有し、
前期端面は前記導光された光が臨界角以上で当たり、
全反射した光が前記開口部の前記端面以外の面に臨界角以下で当たる形状を有する
ことを特徴とする照明装置
（２）全部または一部が、透明な物質からなり、かつ表面が鏡面仕上げで、かつ端面を有する立体において、前記透明な物質の中に光を照射する前記端面以外の位置にある光源を有し、
前記光が前記透明な物質内で全反射し前記端面へ導光される経路を有し、
前期端面に鏡を配置している
ことを特徴とする照明装置
（３）前記立体は板状の立体で、最大面積の面に一部又は全部が平行な２辺を有し、前記２辺を含まない前記端面に前記光が全反射して導光される経路を有し、前記光が前記端面に臨界角以上で当たり、全反射した前記光が臨界角以下で最大面積の面に当たる前記端面を有することを特徴とする（１）の照明装置。
（４）前記立体は開口部を有する中が空洞の立体又は、前記立体の開口部を上にして縦に切断した立体であることを特徴とする（１）の照明装置。
（５）前記中空の立体の壁の厚みが一定の円柱、又は角柱であることを特徴とする（３）の照明装置。
（６）全部または一部が、透明な物質からなり、かつ表面が鏡面仕上げの立体において、
前記物質の外部に光源を有し、
前記光源から前記透明な物質の中に光を照射する凸面に形成されている前期立体の端面を有し、
光を前記物質の外に照射する部分を有し、
光が前記透明な物質内で全反射し前記立体の前期凸面の端面から前記照射する部分に導光される経路を有する
ことを特徴とする照明装置。
（７）前記透明な物質の表面を半透明又は不透明な物資で覆われることを特徴とする（１）又は（２）又は（３）又は（４）又は（５）の照明装置。
（８）鏡面仕上げの透明な物質からなる端面を有する立体の前記物質の内部に前記端面以外の外部から光を照射する工程と
前記照射された光を前記端面へ前記物質内部で導光する工程と
前記導光された光を前記端面で、臨界角以上であたる工程と
全反射した前記光が端面以外の面に臨界角以下であたり前記物質の外に照射される工程を
有する照明の方法
【発明の効果】
【０００８】
本発明は構造が単純な、また加工しやすい材料を用いて、加工しやすい形状で植物や置物など観賞対象物を対象物の横や斜め上下の周囲から光を当てて照明し、鑑賞する。でじょうでである。
【図面の簡単な説明】
【０００９】
【図１】本発明の原理を示した背面からの説明図である。（実施例１）
【図２】本発明の原理を示した側面からの説明図である。（実施例１）
【図３】本発明の原理を示した下からの俯瞰した説明図である。（実施例１）
【図４】本発明の原理を示した光線の説明図である。（実施例１）
【図５】平行な辺を有する板を使用する説明図である。（実施例２）
【図６】光を拡散させる実施例２の応用例（実施例２）
【図７】光を集中させる実施例２の応用例（実施例２）
【図８】光をより上方へ照射する実施例２の応用例（実施例２）
【図９】開口部を持つ立体を使用した実施例の俯瞰図（実施例３）
【図１０】縦に切ったパイプ形状を使用した実施例の俯瞰図（実施例４）
【図１１】パイプ形状を使用した実施例の俯瞰図（実施例５）
【図１２】光が入る部分を凸部にした実施例の俯瞰図 （実施例６）
【図１３】光が入る部分を凸部にした実施例の側面の拡大図 （実施例６）
【発明を実施するための形態】
【００１０】
図１、図２は、本発明装置の実施例１の正面図と側面図であり、図３は下方からの俯瞰図、図４は光の導光を表した図面である。この立体は楕円錘の先端を斜めに切った立体である。１〜４は、図１〜図４で共通ある。
【００１１】
図１、図２、図３、図４を用いて実施例１を説明する。
全部または一部が、透明な物質からなり、かつ表面が鏡面仕上げで、かつ端面（３）を有する立体（１）
において、前記透明な物質の中に光を照射する前記端面以外の位置にある光源（２）を有し、
前記光が前記透明な物質内で全反射し前記端面へ導光される経路（５_1）、（５_２）を有し、
前記導光された光が前記端面（３）に臨界角以上で当たり、
前記端面（３）で全反射した光が前記端面以外の面（4）に臨界角以下で当たる
前記端面（３）を有する照明装置である。
【００１２】
端面（３）に臨界角以上で当たり、全反射して角度を変え、前記端面以外の面（４）に臨界角以下で当たり、透明な物質から外に光を照射する。点光源（２）からの光は図４にあるような垂直な光（５_１）だけではなく、やや斜めな光（５_２）のような光もある。全反射の条件に当てはまらない光もあるが全ての光がのが。いる。か、導光する物質を曲げて光の角度をか、条件に当てはまる多くの光を作り照明の用途とする。
【００１３】
点光源（２）からの光をできるだけ図４の垂直な光（５_１）に近くなるようにするのが後述する請求項５の構造である。
【００１４】
通常導光された光を、角度を変えて照射するためには鏡を使うか、導光する物質を曲げて光の角度を変える必要があるが、本発明では臨界角の条件を満たす角度を端面につけることにより、単純な構造で光の角度を変えている。の角度をくどをめにはめには端面で物を証明が多角
【００１５】
図５を用いて実施例２を説明する。
前記立体は板状の立体（１）で、最大面積の面に一部又は全部が平行な２辺（６）を有し、前記２辺を含まない前記端面（２）に前記光が全反射して導光される経路を有し、前記光が前記端面（２）に臨界角以上で当たり、全反射した前記光が臨界角以下で最大面積の面に当たる前記端面（２）を有する照明装置である。
【００１６】
実施例２では２つの板状の立体（１）をそれぞれの平行な２辺を合わせて最大の面が同一面にならないように角度をつけて接続して、自立できるようにしている。このほかにも下の部分をまげてL字型にして、置物や鉢などをその曲がった部分の上に配置すれば直立する、
【００１７】
垂直に立った板状の立体の端面（２）に臨界角以上で当たり、全反射した光が臨界角以下で当たる条件を見たすと、光の照射角度は限られる。たとえばアクリルの場合は臨界角が約４２.２度であるので大雑把に、４３度以上で当たり、その光が４２度以下で別の面に当たらないといけない。この条件を満たす一番下向きの角度は、端面の角度が水平に対して４３度で、光は水平に対して−４度で反射する。この場合は他の垂直な面に対して臨界角以下で当たり透明な物質の外に出る。外に出る際は屈折してー4度よりさらに下の向きとなる。つまり垂直な板で全反射させて、上向きの光から下向きの光を作ることができる。
【００１８】
最大の角度は端面が水平に対して６６度で、光は水平に対して上向きに４２度の角度で垂直な他の面にあたり、透明な物質から外に出る。この際に屈折してさらに角度は上向きになる。
【００１９】
アクリルを使用する場合はこの方法で垂直に立てた板で、水平に対して約−４度から＋４２度を中心とする範囲で光を照射することが可能である。水平に対して４２度で垂直な透明な板の壁に当たる光は大きく屈折するので４５度は優に越える。この場合は透明な物質の内側に反射する量も多いので光の強さは弱くなる。
【００２０】
実施例２の応用例として、図６、図７を用いて説明する。図６では立体（１）の端面（２）を凹面にして、全反射する光を拡散して、より広く広がる様にしている。図７では立体（１）の端面（２）を凸面にして、全反射する光を集中して、より狭い範囲を照射する様にしている。このように全反射する端面に凹凸をつけることにより光の拡散と集中が可能である。
【００２１】
実施例２の更なる応用例を説明する。端面に鏡を張ることにより、別の面に当たる光の角度を臨界角以上の４５度程度にして、屈折まで含めて水平方向に対して下向き４５度以下に照射することができる。
【００２２】
実施例２の更なる応用例を、図８を用いて説明する。図８は俯瞰図である。
端面（３）にあたり、別の面に当たる光の入射角を臨界角以下にするため、その面（３‘）を斜めに削る。最初からこの面に当たる光は反対側の外に出るので、照射したいところに多く光が出るようにこの面（３’）は小さく設計する必要がある。
【００２３】
３項先の説明のように壁に角度を付けてより上方への光を照射することもできるが、全反射した光を臨界角以下で面に当てるように、壁の面を付けるほうが壁全体を角度を付けるより、容易である。
【００２４】
次に図９を用いて実施例３について説明する。図９は俯瞰図である。
前記立体（１）は開口部（７）に端面（２）を有する中が空洞の立体（１）の開口部を上にして縦に切断した立体（１）の照明装置である。
【００２５】
中が中空の立体（１）の場合は壁の中を全反射して光を導光する。光を入射させるためには下方に端面（７）を設けてその端万の下にLEDなどの点光源（２）を設けて入射させる。この構造では照明装置は自立するので便利である。
【００２６】
記述した様にアクリルの垂直な板では−４度から＋４２度の範囲でしか光を外に出すことはできない。これ以外の角度をつけるためにはより屈折率の大きい物質を使うか、壁や板に角度をつける必要がある。この実施例では壁に角度をつけてより上方への光を照射する。
【００２７】
この実施例の半分に切っていない立体の下の開口部をふさいで小さな穴にすれば、鉢としても使用できる。その場合は鉢に水が付着するので臨界角が変わり、全反射する光の量が少なくなるが機能はする。
それをふさぐために内面に樹脂のカバーを付ければほとんど設計どおりの、光量となる。
【００２８】
次に図１０を用いて実施例４について説明する。図１０は俯瞰図である。
中空の立体（１）の壁の厚みが一定の円柱である照明装置である。厚みが一定であると光の導光が設計しやすい。漏れる光も少なくなる。汎用のパイプ状の透明な物質を利用できるので製造コストも安くなる。
【００２９】
次に図１１を用いて実施例５について説明する。図１１は俯瞰図である。この実施例では切断していない円柱を使った例を示した。
切断してない円柱では端面（３）の 加工だけですみ、工賃は比較的安くできる。LEDの光源（２）は円周上に均等に配置しているが偏って配置して光源の数を減らし、照明装置に前後の区別をつけて配置するものとして価格を抑えることもできる。
【００３０】
図１２、図１３を用いて実施例６について説明する。図１２は俯瞰図、図１３は側面図の部分拡大図である。
全部または一部が、透明な物質からなり、かつ表面が鏡面仕上げの立体（１）において、
前記物質の外部に光源（２）を有し、
前記光源（２）から前記透明な物質の中に光を照射する凸面に形成されている前期立体の端面（８）を有し、
光を前記物質の外に照射する、光が臨界角以上であたり、全反射した光が臨界角以下で当たるように形成された端面（３）を有し、
光が前記透明な物質内で全反射し前記立体の前期凸面の端面（８）から前記照射する端面（３）に導光される経路を有する照明装置である。
【００３１】
凸面に形成された、透明な物質はレンズを構成する。ほぼ点光源のLEDなどの光源は光が１２０度程度で照射されるので板状の薄い透明な物質、アクリルなどでは９０度以内の光が全反射されて導光される。透明な物質の壁に＋−４５度程度で当たる光は全反射する。この光をできるだけ壁に平行な光線にして、物質の外に照射される光の照射角を絞ることが出る。また全反射させるべく形成された端面でより多くの光を全反射させることができる。
【００３２】
あるいは透明な物質内で光の方向を変えるときに外部へ漏れる光量を少なくすることができる。たとえば４５度の角度で光を直角に曲げたい場合などは、より多くの光を臨界角以上で当てて、全反射させることができる。端面を凸面にしない場合は、全方向に最大４５度の角度で光が当たって導光され、４０％程度の光は全反射させるべく形成された４５度の面で、臨界角以下で当たり、その面で外部へもれてしまう。
【００３３】
本実施例では入光する端面（８）はかまぼこ型に凸面を作っているが金型が不要でコストが安くできるからである。金型などを使い作成する場合はLEDごとに球体を切断した様な凸面を作りより光を平行光線にするすることができる。
【００３４】
さらに光源（２）の周りをパラボラ形状にして、照射角をしぼり、より多くの光立（１）の中に光を取り込めるようにすることで照明装置としての機能を改善できる。
【００３５】
次に図１を用いて実施例７について説明する。
透明な物質（１）の表面を半透明又は不透明な物資で覆われることを特徴とする照明装置も有用である。
樹脂は傷がつきやすく、傷が導光している光を、散乱して傷が光利目立つ。カバーで覆うことはこれを防ぐためにもなる。なおカバーは接着すると接着剤の屈折率が空気より高く、全反射をさせにくくするので、空気層を持たせて覆うことが望ましい。
【００３６】
また光を照射する端面には光源はないので、カバーで覆われた透明な樹脂は、透明な樹脂とは見えずに、不思議さを誘う。
【００３７】
光が出てくる端面（３）はカバーで覆ってはいけない。
【符号の説明】
【００３８】
１  立体
２  光源
３  端面
３’斜めに削った端面
４  別の面
５  光線
６  立体の辺
７  入射する端面   
８  凸面の端面
【図１】
2018081865.tif 000003
【図２】
2018081865.tif 000004
【図３】
2018081865.tif 000005
【図４】
2018081865.tif 000006
【図５】
2018081865.tif 000007
【図６】
2018081865.tif 000008
【図７】
2018081865.tif 000009
【図８】
2018081865.tif 000010
【図９】
2018081865.tif 000011
【図１０】
2018081865.tif 000012
【図１１】
2018081865.tif 000013
【図１２】
2018081865.tif 000014
【図１３】
2018081865.tif 000015